(57)【特許請求の範囲】
【請求項１】
発光源と、該発光源からの光ビームを偏向する偏向器とを有する光走査モジュールを主走査方向に複数配列して支持する支持基体と、前記各光走査モジュールに対応して前記偏向器で走査された光ビームを被走査面に結像する複数の結像手段を各々位置決めして支持し、前記支持基体を支持するハウジングを有する光走査装置において、
前記光走査モジュールからの各光ビームを通過させて前記被走査面に射出する開口部を前記ハウジングに設け、前記開口部を封止し、前記各光走査モジュールに共通な単一部材よりなる窓部材を具備することを特徴とする光走査装置。
【請求項２】
前記窓部材は前記ハウジングに対して着脱自在に保持される請求項１記載の光走査装置。
【請求項３】
前記窓部材は前記光走査モジュールの配列方向に係止して位置規制する係止手段を有する請求項１又は２に記載の光走査装置。
【請求項４】
前記窓部材は前記結像手段の一部を構成する請求項１〜３のいずれかに記載の光走査装置。
【請求項５】
前記窓部材は隣接する光走査モジュールの光ビーム透過領域間に非透過領域を有する請求項１〜４のいずれかに記載の光走査装置。
【請求項６】
前記非透過領域には、前記各光走査モジュールによる走査開始又は走査終端のビーム位置を検出して記録開始の同期を取るために前記支持基体上に設けられた同期検出手段に前記光走査モジュールからの光ビームを導く反射手段を設けた請求項５記載の光走査装置。
【請求項７】
請求項１〜６のいずれかの光走査装置を搭載し、単色の画像形成を行う画像形成部に対して、１ライン分の画像データを単位モジュール数に分割して画像記録を行うことを特徴とする画像形成装置。
【請求項８】
フルカラー画像を形成する各色毎の画像形成部の各々に配備し、各色に対応した画像データにより個別に画像記録を行う請求項７記載の画像形成装置。
【請求項９】
フルカラー画像を形成する各色毎の画像形成部に対して共用配備し、各色に対応した画像データにより時系列に画像記録を行う請求項７記載の画像形成装置。
【請求項１０】
フルカラー画像を形成する各色毎の画像形成部の１又は複数色に対して共用配備し、各色に対応した画像データにより時系列に画像記録を行う請求項７記載の画像形成装置。
【発明の詳細な説明】
【０００１】
【発明の属する技術分野】
本発明は光走査装置及び画像形成装置に関し、特にデジタル複写機及びレーザプリンタ等の画像形成装置の書込系に用いられる光走査装置に関する。
【０００２】
【従来の技術】
従来、光走査装置にて感光体の広い範囲を露光しようとするとポリゴンミラーや走査レンズ等の光学部品が大型化され、また、高画質を維持するためには部品精度が要求される。そこで、特開平３−１６１７７８号公報や特開２０００−１９４３８号公報にも開示されるように、感光体の露光範囲を分割し、分割された各々に小型の光走査装置を設けて走査露光する方式がある。しかし、この方式においては、経時的に飛散トナーや塵などによって走査光学系が汚れ、光走査装置毎に感光体に到達する照射強度が変化するため、境界部で濃度差が生じ、画質が劣化するという欠点がある。そのため、防塵ガラスを配備し、汚れたら交換したり清掃することで照射強度の回復を図っている。
【０００３】
【発明が解決しようとする課題】
しかしながら、光走査装置間での照射強度の均一性を確保するには防塵ガラス個々の透過率や清掃作業のばらつきを抑える必要があり厄介である。
【０００４】
本発明はこれらの問題点を解決するためのものであり、経時的にも照射強度の均一性を確保できるようにすることで画像品質を安定化するとともに、装置寿命を伸ばすことで省資源化を図ることができる光走査装置及び画像形成装置を提供することを目的とする。
【０００５】
【課題を解決するための手段】
前記問題点を解決するために、本発明の光走査装置は、発光源と、該発光源からの光ビームを偏向する偏向器とを有する光走査モジュールを主走査方向に複数配列して支持する支持基体と、各光走査モジュールに対応して偏向器で走査された光ビームを被走査面に結像する複数の結像手段を各々位置決めして支持し、支持基体を支持するハウジングを有する。そして、光走査モジュールからの各光ビームを通過させて被走査面に射出する開口部をハウジングに設け、開口部を封止し、各光走査モジュールに共通な単一部材よりなる窓部材を具備する。よって、窓部材の経時的な汚れ具合が一定となる上、交換や清掃等のメンテナンス後も光走査モジュール毎の透過光量を均一に確保でき、濃度差のない良好な画像出力を行うことができる。また、光走査モジュール間で設置角度が同一なので、交換しても相対的な誤差を生じ得ないので走査線の曲がり等の光学特性が変化することなく良好な画像出力を行うことができる。
【０００６】
また、窓部材はハウジングに対して着脱自在に保持されることにより、また窓部材は光走査モジュールの配列方向に係止して位置規制する係止手段を有することにより、窓部材を定期的に交換しても各光走査モジュールとそれに対応した窓部材の光走査領域との位置合わせを確実に行えるので経時でも安定した光学特性が得られ良好な画像出力を行うことができる。
【０００７】
更に、窓部材は結像手段の一部を構成することにより、防塵ガラス等の余分な光学素子を設ける必要がないので光走査モジュール間の透過光量のバラツキを低減でき良好な画像出力を行うことができるとともに、部品点数が削減でき生産効率を向上できる。
【０００８】
また、窓部材は隣接する光走査モジュールの光ビーム透過領域間に非透過領域を有することにより、画像記録に関係のない光ビームが窓部材の外に漏れ出るのを防止し、走査領域外で点灯する際、例えば同期検知や光量検出、においても隣接する被走査領域を照射することがないので良好な画像出力を行うことができる。
【０００９】
更に、非透過領域には、各光走査モジュールによる走査開始又は走査終端のビーム位置を検出して記録開始の同期を取るために支持基体上に設けられた同期検出手段に光走査モジュールからの光ビームを導く反射手段を設けた。よって、走査領域外の光ビームを確実に収納部材の空間内に閉じ込めることができる上、反射して戻した光ビームを同期検知用として用いることもでき、同期検知ミラーを配備する必要がなくなり部品点数が削減でき生産効率を向上できる。
【００１０】
また、別の発明としての画像形成装置は、上記記載の光走査装置を搭載し、単色の画像形成を行う画像形成部に対して、１ライン分の画像データを単位モジュール数に分割して画像記録を行うことに特徴がある。
【００１１】
更に、別の発明としての画像形成装置は、フルカラー画像を形成する各色毎の画像形成部の各々に配備し、各色に対応した画像データにより個別に画像記録を行うことに特徴がある。
【００１２】
また、別の発明としての画像形成装置は、フルカラー画像を形成する各色毎の画像形成部に対して共用配備し、各色に対応した画像データにより時系列に画像記録を行うことに特徴がある。
【００１３】
更に、別の発明としての画像形成装置は、フルカラー画像を形成する各色毎の画像形成部の１又は複数色に対して共用配備し、各色に対応した画像データにより時系列に画像記録を行うことに特徴がある。
【００１４】
【発明の実施の形態】
本発明の光走査装置は、発光源と、該発光源からの光ビームを偏向する偏向器とを有する光走査モジュールを主走査方向に複数配列して支持する支持基体と、各光走査モジュールに対応して偏向器で走査された光ビームを被走査面に結像する複数の結像手段を各々位置決めして支持し、支持基体を支持するハウジングを有する。光走査モジュールからの各光ビームを通過させて被走査面に射出する開口部をハウジングに設け、開口部を封止し、各光走査モジュールに共通な単一部材よりなる窓部材を具備する。
【００１５】
【実施例】
図１は本発明の光走査装置に配備される光走査モジュールの構成を示す分解斜視図である。同図において、可動ミラー１００は静電引力で駆動される。ミラー基板は２枚のＳｉ基板を接合して構成される。可動ミラー１００及び当該可動ミラー１００を軸支するトーションバー１０１は第１のＳｉ基板１０２をエッチングにより貫通して形成する。中央部には金属被膜を蒸着するなどしてミラー面を形成し、トーションバー１０１を挟んでミラーの両端部は櫛形に凹凸のある平面形状となし、その側面には電極１０４を形成する。第２のＳｉ基板１０３にはミラー部の揺動空間として可動ミラー１００の形状に合わせて互い違いに凹凸が重なり合う側面を形成した貫通部が設けられ、可動ミラー１００の支持基板を形成している。上記側面には電極１０４の各端に対向して図示しない一対の固定電極を電極１０４とは揺動方向に離隔して形成しており、この固定電極に交互に電圧を印加することにより電極間で静電引力を発生し、トーションバー１０１を回転軸として往復振動することができる。なお、本実施例では駆動電圧を低減するため、櫛形形状として対向する電極の面積を拡大しているが、これに限らない。ミラー基板の上面には対向ミラー基板１０５が接合される。対向ミラー基板１０５もＳｉ基板にて形成され、可動ミラー１００に対向して反射面１０６(裏面)が設けられている。光ビームは副走査方向に設けられた一方の開口から斜めに入射され可動ミラー１００と反射面１０６との間で複数回反射を繰り返しながら副走査方向に進むと同時に、走査角を拡大し、もう一方の開口から射出される。支持基板１０７は焼結金属等で成形され、絶縁材を介してリード端子１１５が挿入されている。支持基板１０７には、ミラー基板を接合する接合面１０７−１、カップリングレンズ１１０を位置決め接着するＶ溝１０７−２、接合面１０７−１と垂直に形成したＬＤチップ１０８の実装面１０７−３、ＬＤの背面光を受光するモニタＰＤチップ１０９の実装面１０７−４、ＬＤチップ１０８からの光ビームを可動ミラー１００へ折り返すＳｉ基板ミラー１１２の当接部１０７−５が形成されている。Ｓｉ基板ミラー１１２は板ばね１１６の２ヶ所の屈曲部１１６−１により押し付けられている。板ばね１１６には、カップリングレンズ１１０から射出した光束径を規定するアパーチャ部１１６−２、可動ミラー１００で偏向された光ビームを通過する開口部１１６−３が設けられ、可動ミラー１００を覆うように配備される。円筒状のカップリングレンズ１１０の第１面は軸対称の非球面、第２面は副走査方向に曲率を有するシリンダ面である。Ｖ溝１０７−２はカップリングレンズ１１０の円筒外周面が当接した際、光軸がＬＤチップ１０８の発光点に合うように幅と角度が設定され、光軸方向の調整にて発散光束を主走査方向には略平行光束に副走査方向には可動ミラー面で集束する集束光束となし接着固定する。ＬＤチップ１０８、モニタＰＤチップ１０９、上記した固定電極は各々リード端子１１５の上側に突出した端部との間でワイヤーボンディングにより接続がなされる。カバー１１１は板金にてキャップ状に成形され、光ビームの射出開口にはガラス板１１７が接合されてなり、支持基板１０７の外周に設け���れた段部１０７−６にはめ込まれて、ＬＤチップ１０８、ミラー基板等の支持面を密封して光走査モジュールを構成する。なお、内包部にベアチップの保存に適した気体を封止したり、可動ミラーの空気抵抗を減らすため外気圧よりも低い気圧としてもよい。また、光走査モジュールの偏向手段として可動ミラーを用いた例を示したが、ポリゴンミラー等を用いても効果は同様である。
【００１６】
図２は図１の光走査モジュールを有する光走査装置の断面図、図３は外観図、図４は透視図である。図２に示す光走査モジュール２００は、ＬＤの駆動回路、可動ミラーの駆動回路を構成する電子部品が実装されるプリント基板２０１上に主走査方向に配列して複数個、本実施例では３個実装される。実装の際、支持基板１０７の底面は下側に突出したリード端子１１５をスルーホールに通して図示していないプリント基板に当接され、スルーホールのクリアランス内で基板上での光走査モジュール間の位置合わせを行って仮止めし、他の電子部品と共にハンダ付けして一括して固定される。複数の光走査モジュール２００を支持したプリント基板２０１はハウジング２０２の下側開口を塞ぐように当接され、ハウジング２０２に一体で設けられた一対のスナップ爪２０２−１間に抱え込んで保持する。ハウジング２０２の内部には結像手段を構成する第１の走査レンズ２０３を主走査方向に配列して接合する位置決め面、第２の走査レンズ２０４を保持する位置決め部および図４に示す同期ミラー２０８の保持部が形成される。本実施例では各光走査モジュールの第２の走査レンズを樹脂にて一体的に形成し、光ビームを射出する開口に外側より取り付けられる。図３に示すように、長手両端にはハウジング２０２の内壁に設けられた突起２０５に係合する切欠き部２０６を有する取っ手２０７が形成され、第２の走査レンズはこの係合により基準面２０２−２に押し付けられると同時に主走査方向の位置決めがなされる。また、矢印方向に引き上げることで、容易に着脱ができる構造となっている。レンズ間にはリブが設けられ、隣接する走査領域を分離し、曲率間の谷部を通った光ビームが分割されてゴースト光となるのを防止している。図４に示す同期ミラー２０８は各光走査モジュールの走査開始側の光ビームを反射し、プリント基板２０１上に実装した例えばＰＩＮフォトダイオード等の同期検知センサ２０９に導くことで、同期検知信号を発生し記録開始のタイミングをとる。コネクタ２１０は全ての光走査モジュールへの電源供給やデータ信号などのやり取りを一括して行なえるようにしている。図３に示すように、ハウジング２０２の両側面には後述する感光体ドラムを保持するカートリッジにドラムと同心に設けられた円筒面に合わせるための突き当て面２１１−１を有する位置決め部材２１１が取り付けられる。位置決め部材２１１は突起部２１２にねじで固定された後、Ｌ字状に設けた座面２１１−２の係合穴を装置本体のフレームに設けられたピン２１３にスプリング２１４を介して通し配備することで、ハウジング全体はピンに沿って矢印方向に可動に保持されるのでカートリッジに常に押し付けられた状態を維持でき、複数の光走査モジュールの被走査面に対する位置決めを一括して確実に行うことができる。なお、実施例では光走査モジュールの配列数を３としたが、これに限らず、主走査の記録幅に応じて配列数を増減することができる。
【００１７】
図５は本発明の一実施例に係る光走査装置の構成を示す透視図である。本実施例では、走査レンズとは別に防塵プレート３０５を設けている。光走査モジュール３００の構成は図１に示すものと同様であるので説明は省略する。ハウジング３０２は図６に示すように装置本体フレームを構成する側板と一体的に樹脂成形される。ハウジング３０２の内部の形状は図２に示すものと同様であり、第１の走査レンズ３０３はハウジング３０２の内側に主走査方向に配列して接合する。
第２の走査レンズ３０４は同様に一体的に形成され、ハウジング３０２の光ビームを射出する開口３０２−１に外側より取り付けられる。各第２の走査レンズ３０４の間には曲率のない平坦面３０４−１が形成され、走査領域を分離している。防塵プレート３０５は、図６に示すように、側板に設けられた角穴３０２−２から挿入され、ハウジング３０２に設けられた鍵状の突起３０２−３で抱え込むように支持され、開口３０２−１を塞ぐ。なお、防塵プレート３０５のプレート面は第２の走査レンズ面との間で多重反射が起こらないように光軸と所定角度をもって配置している。防塵プレート３０５には各光走査領域の間の裏面に金属被膜を蒸着してミラー３０７が形成されており、有効走査領域以外の光ビーム、例えば同期検知前後の光ビームが隣接する被走査面に到達するのを防止すると共に、同期検知用の光ビームは金属被膜によるミラー３０７で反射され、各第２の走査レンズ３０４の間の平坦面３０４−１を通過してプリント基板３０１上に実装された同期検知センサ３０８に入射される。平坦面３０４−１は上面あるいは下面を少なくとも副走査方向に曲率をもたせてもよく、同期検知センサ３０８へ確実に光ビームを集束させることができる。取っ手３０６は防塵プレート３０５の端部に接合して設けられ、スナップ爪３０９を一体形成したつまみ部を有し、図６に示す側板の突起部３０２−４にスナップ爪３０９を係合して主走査方向の位置決めを行うとともに容易に着脱ができる構造となっている。図６に示す切欠き部３０２−５は感光体ドラムを保持するカートリッジにドラムと同心に設けられた円筒面に合わせて設けられた突き当て面で、複数の光走査モジュールの被走査面に対する位置決めを一括して確実に行うことができる。
【００１８】
図７は本発明の光走査装置をレーザプリンタに適応した例を示す概略断面図である。同図において、感光体ドラム４０１の周囲には感光体を高圧に帯電する帯電ローラ４０２、光走査装置４００により記録された静電潜像にトナーを付着して顕像化する現像ローラ４０３、トナーを備蓄するトナーホッパ４０４、用紙に転写された後の残トナーをブレードで掻き取り蓄積するクリーニングケース４０５が配備され、交換可能なカートリッジとして一体的に構成される。用紙は給紙トレイ４０６から給紙コロ４０７により供給され左回りに搬送される。レジストローラ対４０８は印字のタイミングに合わせて用紙を送り、同方向に回転する感光体ドラム４０１より画像が転写され定着ローラ４０９で定着されて排紙トレイ４１０に排出される。カートリッジの装置カバー４１１は軸支されており、カートリッジを交換する際やジャムを起こした用紙を取り除く際には開放される。第２の走査レンズはカートリッジを取り除くことで交換することができる。
【００１９】
次に、上述した本実施例に係る光走査装置を搭載した電子写真プロセスを用いた、その他の画像形成装置として、図８にデジタル複写機、図９に普通紙ファクシミリの例を示す。図８において、デジタル複写機本体５００は、光走査装置５０１と、用紙を収容するカセット５０２，５０２’と、カセット５０２，５０２’から用紙を１枚ずつ取り出す給紙ローラ５０３，５０３’と、搬送タイミングをコントロールするレジストローラ５０４と、転写帯電器５０５と、感光体ドラム５０６及び現像ローラ５０７並びに帯電ローラ５０８等が一体化されているプロセスカートリッジ５０９と、ハロゲンヒータが内蔵された定着ローラ５１０と、加圧ローラで構成する定着器５１１と、搬送ローラ５１２と、排紙ローラ５１３とを含んで構成されている。このような構成を有するデジタル複写機における光走査装置５０１は画像信号に応じて半導体レーザが変調され、帯電ローラ５０８によって一様に帯電された感光体ドラム５０６上に潜像を形成し、現像ローラ５０７から供給されるトナーによって顕像化される。一方、給紙ローラ５０３，５０３’によって取り出された用紙はレジストローラ５０４によって光走査装置の画像書き出しのタイミングに合わせて搬送されトナー像が転写される。転写された画像は定着ローラ５１０及び定着器５１１により定着されて搬送ローラ５１２、そして排紙ローラ５１３によって排紙される。
【００２０】
また、図８において、原稿読取装置本体６００では、原稿台に固定された原稿の読み取り部６０１における画像を結像レンズ６０２を介してＣＣＤ等の光電変換素子６０３上に結像させ、ミラー群６０４を移動して順次、電子データに変換する。なお、図８に示すデジタル複写機はモノクロ複写機であるが、これに限定する必要はなく、フルカラー複写機の場合、各色毎のプロセスカートリッジ毎に本発明の光走査装置を設けるタイプ、フルカラー画像形成を行う単一の画像形成部に対して設けるタイプや複数の画像形成部からなるタイプの画像形成装置にも適用できることは言うまでもない。
【００２１】
図９において、普通紙ファクシミリ８００は、光走査装置８０１と、用紙を収容するカセット８０２と、カセット８０２から用紙を１枚ずつ取り出す給紙ローラ８０３と、搬送タイミングをコントロールするレジストローラ８０４と、転写帯電器８０５と、感光体ドラム８０６、現像ローラ８０７及び帯電ローラ８０８等が一体化されているプロセスカートリッジ８０９と、ハロゲンヒータが内蔵された定着ローラ８１０と、加圧ローラで構成する定着器８１１と、原稿台８１２から原稿を取り出す給紙ローラ８１３と、原稿を副走査方向に搬送する搬送ローラ対８１４，８１５と、原稿の画像を光学的に読み取る読み取り部８１６とを含んで構成されている。原稿台８１２から給紙ローラ８１３によって送り出された原稿の画像は搬送ローラ対８１４，８１５により搬送されながら順次、読み取り部８１６によって電子データに変換する。普通紙ファクシミリ８００は上述のように読み取った読み取り部８１６からの画像信号を図示していない通信部によって送信し、また通信部を介して受信した画像信号に応じて光走査装置８０１における半導体レーザが変調され、帯電ローラ８０８によって一様に帯電された感光体ドラム８０６上に潜像を形成し、現像ローラ８０７から供給されるトナーによって顕像化される。一方、給紙ローラ８０３によって取り出された用紙はレジストローラ８０４によって光走査装置の画像書き出しのタイミングに合わせて搬送されトナー像が転写される。転写された画像は定着ローラ８１０及び定着器８１１により定着されて排紙される。
【００２２】
なお、本発明は上記実施例に限定されるものではなく、特許請求の範囲内の記載であれば多種の変形や置換可能であることは言うまでもない。
【００２３】
【発明の効果】
以上説明したように、本発明の光走査装置は、発光源と、該発光源からの光ビームを偏向する偏向器とを有する光走査モジュールを主走査方向に複数配列して支持する支持基体と、各光走査モジュールに対応して偏向器で走査された光ビームを被走査面に結像する複数の結像手段を各々位置決めして支持し、支持基体を支持するハウジングを有する。そして、光走査モジュールからの各光ビームを通過させて被走査面に射出する開口部をハウジングに設け、開口部を封止し、各光走査モジュールに共通な単一部材よりなる窓部材を具備する。よって、窓部材の経時的な汚れ具合が一定となる上、交換や清掃等のメンテナンス後も光走査モジュール毎の透過光量を均一に確保でき、濃度差のない良好な画像出力を行うことができる。また、光走査モジュール間で設置角度が同一なので、交換しても相対的な誤差を生じ得ないので走査線の曲がり等の光学特性が変化することなく良好な画像出力を行うことができる。
【００２４】
また、窓部材はハウジングに対して着脱自在に保持されることにより、また窓部材は光走査モジュールの配列方向に係止して位置規制する係止手段を有することにより、窓部材を定期的に交換しても各光走査モジュールとそれに対応した窓部材の光走査領域との位置合わせを確実に行えるので経時でも安定した光学特性が得られ良好な画像出力を行うことができる。
【００２５】
更に、窓部材は結像手段の一部を構成することにより、防塵ガラス等の余分な光学素子を設ける必要がないので光走査モジュール間の透過光量のバラツキを低減でき良好な画像出力を行うことができるとともに、部品点数が削減でき生産効率を向上できる。
【００２６】
また、窓部材は隣接する光走査モジュールの光ビーム透過領域間に非透過領域を有することにより、画像記録に関係のない光ビームが窓部材の外に漏れ出るのを防止し、走査領域外で点灯する際、例えば同期検知や光量検出、においても隣接する被走査領域を照射することがないので良好な画像出力を行うことができる。
【００２７】
更に、非透過領域には、各光走査モジュールによる走査開始又は走査終端のビーム位置を検出して記録開始の同期を取るために支持基体上に設けられた同期検出手段に光走査モジュールからの光ビームを導く反射手段を設けた。よって、走査領域外の光ビームを確実に収納部材の空間内に閉じ込めることができる上、反射して戻した光ビームを同期検知用として用いることもでき、同期検知ミラーを配備する必要がなくなり部品点数が削減でき生産効率を向上できる。
【００２８】
また、別の発明としての画像形成装置は、上記記載の光走査装置を搭載し、単色の画像形成を行う画像形成部に対して、１ライン分の画像データを単位モジュール数に分割して画像記録を行うことに特徴がある。
【００２９】
更に、別の発明としての画像形成装置は、フルカラー画像を形成する各色毎の画像形成部の各々に配備し、各色に対応した画像データにより個別に画像記録を行うことに特徴がある。
【００３０】
また、別の発明としての画像形成装置は、フルカラー画像を形成する各色毎の画像形成部に対して共用配備し、各色に対応した画像データにより時系列に画像記録を行うことに特徴がある。
【００３１】
更に、別の発明としての画像形成装置は、フルカラー画像を形成する各色毎の画像形成部の１又は複数色に対して共用配備し、各色に対応した画像データにより時系列に画像記録を行うことに特徴がある。
【図面の簡単な説明】
【図１】本発明の光走査装置に配備される光走査モジュールの構成を示す分解斜視図である。
【図２】図１の光走査モジュールを有する光走査装置の構成を示す断面図である。
【図３】本発明の光走査装置の外観を示す斜視図である。
【図４】本発明の光走査装置の構成を示す透視図である。
【図５】本発明の一実施例に係る光走査装置の構成を示す透視図である。
【図６】本発明の光走査装置を保持する保持部材を示す斜視図である。
【図７】本発明の光走査装置を搭載したレーザプリンタの構成を示す概略断面図である。
【図８】本発明の光走査装置を搭載したデジタル複写機の構成を示す概略断面図である。
【図９】本発明の光走査装置を搭載した普通紙ファクシミリの構成を示す概略断面図である。
【符号の説明】
３００；光走査モジュール、３０２；ハウジング、３０５；防塵プレート、
３０６；取っ手、３０７；ミラー、３０８；同期検知センサ、
３０９；スナップ爪。
【図１】
0004580582.tif 000002
【図２】
0004580582.tif 000003
【図３】
0004580582.tif 000004
【図４】
0004580582.tif 000005
【図５】
0004580582.tif 000006
【図６】
0004580582.tif 000007
【図７】
0004580582.tif 000008
【図８】
0004580582.tif 000009
【図９】
0004580582.tif 000010